(57)【要約】【課題】  シンチレーションファイバに歪みが生じても放射線の検出効率を高める。【解決手段】  シンチレーションファイバ１に、光検出器５ａ，５ｂと、増幅器６ａ，６ｂと、ディスクリミネータ７ａ，７ｂと、シンチレーションファイバ１の長手方向における放射線の入射位置を検出する時間−波高変換器８と、シンチレーションファイバ１の長手方向に沿う放射線量の空間分布を求めるマルチチャンネルアナライザ１０とからなる計測系２を接続する。シンチレーションファイバ１に取り付けた歪みゲージ１１によりシンチレーションファイバ１の歪み量を計測する歪み計測手段３を備え、その計測結果を入力する調整装置４を備える。調整装置４により、シンチレーションファイバ１の歪みによるシンチレーション光の減衰を見込んで、計測系２のディスクリミネータ７ａ，７ｂでのノイズカット閾値を調整させる。【選択図】図１
2014020901.tif 000002
【特許請求の範囲】
【請求項１】
シンチレーションファイバと、
該シンチレーションファイバの計測系を備え、
該計測系は、シンチレーションファイバに接続した光検出器と、該光検出器より出力される放射線の検出信号を増幅する増幅器と、ノイズカット閾値により上記該増幅器で増幅された検出信号よりノイズを除去するディスクリミネータと、該ディスクリミネータを経て入力される検出信号を基に、上記シンチレーションファイバの長手方向における放射線の入射位置を検出する時間−波高変換器と、シンチレーションファイバの長手方向に沿う放射線量の空間分布を求めるマルチチャンネルアナライザとを備えてなり、
更に、上記シンチレーションファイバの歪みを検出する歪み計測手段と、
該歪み計測手段で計測された上記シンチレーションファイバの歪み量の計測結果を基に、上記計測系のディスクリミネータのノイズカット閾値を調整する調整装置を備えてなる構成
を有することを特徴とする放射線計測装置。
【請求項２】
調整装置は、ディスクリミネータのノイズカット閾値の設定を行うときに、該ノイズカット閾値の設定値が予め設定した許容レベルよりも低くなる場合に、アラームを発する機能を備えるようにした請求項１記載の放射線計測装置。
【請求項３】
計測系は、記憶手段を備えて、該記憶手段に、標準線量を用いて歪みが存在しているシンチレーションファイバの複数個所について該各個所が放射線の入射位置となる場合を模擬した操作により求めたシンチレーションファイバの長手方向の放射線入射位置と、放射線の計数値の数え落としとの相関性を記憶できるようにし、
更に、マルチチャンネルアナライザが、時間−波高変換器による放射線の入射位置の検出結果と、上記記憶手段に記憶させてあるシンチレーションファイバの長手方向の放射線入射位置と放射線の計数値の数え落としの相関性とを基に、該計数値の数え落とし分を補填する補正を行ってから、補正後の放射線の計数値を基に、上記シンチレーションファイバの長手方向に対する放射線量の空間分布を求める機能を備えるようにした請求項１又は２記載の放射線計測装置。
【請求項４】
歪み計測手段は、シンチレーションファイバに取り付けた歪みゲージを備える構成とした請求項１、２又は３記載の放射線計測装置。
【請求項５】
歪み計測手段は、シンチレーションファイバに沿わせて取り付けた光ファイバ式歪みセンサを備える構成とした請求項１、２又は３記載の放射線計測装置。
【発明の詳細な説明】
【技術分野】
【０００１】
本発明は、シンチレーションファイバを備えた形式の放射線計測装置に関するものである。
【背景技術】
【０００２】
放射線の計測手法の１つとして、放射線の入射によりシンチレーション光を発生するシンチレーションファイバを用いた手法が従来提案されている。これは、放射線の入射に伴って発生するシンチレーション光が該シンチレーションファイバの一端側と他端側へ到達するときの光子数の比（減衰比）や到達時間差を基に、シンチレーションファイバの長手方向に沿って、空間線量の分布を計測するようにしてある（たとえば、非特許文献１、特許文献１、特許文献２参照）。
【先行技術文献】
【特許文献】
【０００３】
【特許文献１】特許第３００３８４３号公報
【特許文献２】特許第３３０９７２８号公報
【非特許文献】
【０００４】
【非特許文献１】鳥居建男、「光ファイバーを用いた放射線分布計測」、ラジオアイソトープ（RADIOISOTOPES）、日本アイソトープ協会、１９９５年、Ｖｏｌ.４４、Ｎｏ７、ｐ．６９−７０
【発明の概要】
【発明が解決しようとする課題】
【０００５】
ところが、シンチレーションファイバは、撓んで歪みが生じると、該歪みを生じた部分では、シンチレーション光の伝送特性が、減衰が大きくなるように変化する。そのため、シンチレーションファイバに歪みが生じている場合は、放射線の入射により発生したシンチレーション光が、該シンチレーションファイバの一端側と他端側に到達するまでの減衰量が大きくなることから、放射線の検出信号が弱くなってしまう。
【０００６】
よって、この場合は、或る一定のノイズカットの閾値を設定したディスクリミネータを用いて上記放射線の検出信号よりノイズを分離しようとすると、上記シンチレーションファイバの歪みの影響により弱くなった放射線の検出信号が、上記ノイズカットの閾値よりも小さくなってノイズに埋もれる可能性がある。
【０００７】
したがって、上記のようにシンチレーションファイバに歪みが生じている場合は、上記放射線の検出効率が低下してしまう。又、空間線量の計測の統計的精度が下がると共に、計測時間が長くなるという問題が生じてしまう。
【０００８】
そこで、本発明は、シンチレーションファイバの歪みの影響により放射線の検出信号が弱くなる場合であっても、ノイズに埋もれることなく検出できるようにして、放射線の検出効率を高めることができる放射線計測装置を提供しようとするものである。
【課題を解決するための手段】
【０００９】
本発明は、上記課題を解決するために、請求項１に対応して、シンチレーションファイバと、該シンチレーションファイバの計測系を備え、該計測系は、シンチレーションファイバに接続した光検出器と、該光検出器より出力される放射線の検出信号を増幅する増幅器と、ノイズカット閾値により上記該増幅器で増幅された検出信号よりノイズを除去するディスクリミネータと、該ディスクリミネータを経て入力される検出信号を基に、上記シンチレーションファイバの長手方向における放射線の入射位置を検出する時間−波高変換器と、シンチレーションファイバの長手方向に沿う放射線量の空間分布を求めるマルチチャンネルアナライザとを備えてなり、更に、上記シンチレーションファイバの歪みを検出する歪み計測手段と、該歪み計測手段で計測された上記シンチレーションファイバの歪み量の計測結果を基に、上記計測系のディスクリミネータのノイズカット閾値を調整する調整装置を備えてなる構成とする。
【００１０】
又、上記構成において、調整装置は、ディスクリミネータのノイズカット閾値の設定を行うときに、該ノイズカット閾値の設定値が予め設定した許容レベルよりも低くなる場合に、アラームを発する機能を備えるようにした構成とする。
【００１１】
更に、上記各構成において、計測系は、記憶手段を備えて、該記憶手段に、標準線量を用いて歪みが存在しているシンチレーションファイバの複数個所について該各個所が放射線の入射位置となる場合を模擬した操作により求めたシンチレーションファイバの長手方向の放射線入射位置と、放射線の計数値の数え落としとの相関性を記憶できるようにし、更に、マルチチャンネルアナライザが、時間−波高変換器による放射線の入射位置の検出結果と、上記記憶手段に記憶させてあるシンチレーションファイバの長手方向の放射線入射位置と放射線の計数値の数え落としの相関性とを基に、該計数値の数え落とし分を補填する補正を行ってから、補正後の放射線の計数値を基に、上記シンチレーションファイバの長手方向に対する放射線量の空間分布を求める機能を備えるようにした構成とする。
【００１２】
上述の各構成において、歪み計測手段は、シンチレーションファイバに取り付けた歪みゲージを備える構成とする。
【００１３】
同様に、上述の各構成において、歪み計測手段は、シンチレーションファイバに沿わせて取り付けた光ファイバ式歪みセンサを備える構成とする。
【発明の効果】
【００１４】
本発明の放射線計測装置によれば、以下のような優れた効果を発揮する。 
（１）シンチレーションファイバに歪みが生じていて、計測系の光検出器に到達するシンチレーション光が減衰されて、該光検出器より出力される放射線の検出信号が弱くなる場合であっても、該検出信号が、ノイズに埋もれる虞を防止することができる。 
（２）これにより、シンチレーションファイバに歪みが生じている状態でも、放射線の検出効率を高めることができる。このため、計測系の時間−波高変換器では、上記シンチレーションファイバの長手方向における放射線の入射位置を、良好に検出することができる。又、マルチチャンネルアナライザでは、シンチレーションファイバの長手方向に沿う放射線量の空間分布の計測結果について、統計的精度を向上させることができる。 
（３）更に、上記マルチチャンネルアナライザによる上記放射線量の空間分布の計測結果を得るまでに要する計測時間の短縮化を図ることが可能になる。
【図面の簡単な説明】
【００１５】
【図１】本発明の放射線計測装置の実施の一形態を示す概要図である。
【図２】本発明の実施の他の形態を示す概要図である。
【発明を実施するための形態】
【００１６】
以下、本発明を実施するための形態を図面を参照して説明する。
【００１７】
図１は本発明の放射線計測装置の実施の一形態を示すものである。
【００１８】
すなわち、本発明の放射線計測装置は、図１に符号Ｉで示すもので、放射線の検出部となるシンチレーションファイバ１と、該シンチレーションファイバ１に接続した計測系２と、上記シンチレーションファイバ１の歪みを検出する歪み計測手段３と、該歪み計測手段３で計測された上記シンチレーションファイバ１の歪み量の計測結果を基に、上記シンチレーションファイバ１の計測系２を調整するコンピュータのような調整装置４を備える。
【００１９】
上記シンチレーションファイバ１の計測系２は、該シンチレーションファイバ１の両端部に取り付けた光電子増倍管のような光検出器５ａ，５ｂを備える。
【００２０】
更に、上記各光検出器５ａ，５ｂには、上記シンチレーション光の入射時に放射線の検出信号（以下単に検出信号という）を電気信号として出力する出力側に、増幅器６ａ，６ｂと、ディスクリミネータ７ａ，７ｂを介して時間−波高変換器８が接続してある。
【００２１】
上記各ディスクリミネータ７ａ，７ｂのうち、一方のディスクリミネータ７ａと時間−波高変換器８との間には、信号遅延回路９が設けてある。
【００２２】
上記時間−波高変換器８には、マルチチャンネルアナライザ１０が接続してある。更に、該マルチチャンネルアナライザ１０には、上記調整装置４が接続してある。
【００２３】
なお、上記信号遅延回路９による上記検出信号の遅延は、放射線が、上記シンチレーションファイバ１の長手方向における一方の光検出器５ａの近傍位置に入射した場合でも、他方の光検出器５ｂによる検出信号が、該一方の光検出器５ａの検出信号よりも先に、上記時間−波高変換器８に入力されるように設定してあるものとする。
【００２４】
これにより、上記計測系２では、上記シンチレーションファイバ１のいずれかの個所に、放射線が入射してシンチレーション光が発生すると、上記各光検出器５ａ，５ｂにより該シンチレーション光が検出された時点で、該各光検出器５ａ，５ｂより検出信号が出力される。該各検出信号は、対応する増幅器６ａ，６ｂで増幅された後、対応するディスクリミネータ７ａ，７ｂへ入力される。
【００２５】
上記各ディスクリミネータ７ａ，７ｂでは、上記検出信号に対し、後述するように上記調整装置４により設定されるノイズカット閾値によるノイズの除去が行われ、その後、該ノイズの除去が行われた後の検出信号が、上記時間−波高変換器８に入力される。この際、上記信号遅延回路９が設けてあることにより、上記他方の光検出器５ｂによる検出信号は、上記一方の光検出器５ａの検出信号よりも先に、上記時間−波高変換器８に入力されるようになる。
【００２６】
上記時間−波高変換器８は、上記他方の光検出器５ｂによる検出信号が入力された時点から、上記一方の光検出器５ａによる検出信号が入力される時点までの時間差を検出し、この時間差と、上記信号遅延回路９に設定されている遅延時間とから、上記シンチレーション光が各光検出器５ａと５ｂに最初に到達したときの時間差を求めて、この時間差から、上記シンチレーションファイバ１の長手方向における放射線の入射位置を検出するようにしてある。
【００２７】
更に、そのときの波高は、放射線の計数値（カウント）に比例することから、上記マルチチャンネルアナライザ１０で分析して、入力波高スペクトルを求めることで、上記シンチレーションファイバ１の長手方向に対する放射線量の空間分布を求めるようにしてある。
【００２８】
上記歪み計測手段３は、上記シンチレーションファイバ１に取り付けた歪みセンサとしての歪みゲージ１１と、該歪みゲージ１１が接続された歪み計測装置１２を備える。
【００２９】
上記歪みゲージ１１は、たとえば、上記シンチレーションファイバ１の長手方向における間隔を隔てた複数個所にそれぞれ配置して、該各歪みゲージ１１を、該シンチレーションファイバ１の対応する個所にそれぞれ取り付けてある。該各歪みゲージ１１は、共通の歪み計測装置１２に接続してある。
【００３０】
これにより、上記歪み計測装置１２では、上記各歪みゲージ１１から入力される信号を基に、上記シンチレーションファイバ１における個々の歪みゲージ１１の取付個所で生じている歪み量をリアルタイムに計測できるようにしてある。更に、該歪み計測装置１２は、上記歪み量の計測結果を、上記調整装置４へ出力できるようにしてある。
【００３１】
上記調整装置４は、上記歪み計測装置１２より上記シンチレーションファイバ１の歪み量の計測結果が入力されると、該計測結果を基に、上記ディスクリミネータ７ａ，７ｂの最適なノイズカット閾値を算出するようにしてある。
【００３２】
上記調整装置４による上記ノイズカット閾値の具体的な算出手法は、以下のようにしてある。
【００３３】
すなわち、シンチレーションファイバ１は、その種類や太さや長さ等に応じて、該シンチレーションファイバ１に生じる歪み量と、シンチレーション光の減衰が大きくなるという伝送特性の変化との相関性が異なる。
【００３４】
そこで、本発明の放射線計測装置Ｉでは、予め、実際のシンチレーションファイバ１を用いて、該シンチレーションファイバ１に或る歪み量の歪みを与えるときに生じるシンチレーション光の減衰を調べる実験を行い、該シンチレーションファイバ１に生じた歪み量と、シンチレーション光の伝送特性の変化との相関性を求めて、該求めた相関性を、上記調整装置４の図示しない記憶部に、相関テーブルや相関係数として記憶するようにしてある。
【００３５】
ところで、上記シンチレーションファイバ１では、放射線が入射する位置に応じて、該位置で発生するシンチレーション光が、該シンチレーションファイバ１の一端側と他端側に到達するまでの伝送経路が異なる。このことに鑑みて、上記調整装置４では、上記歪み計測手段３で計測される上記シンチレーションファイバ１全体の歪み量を代表値として用いて、上記したシンチレーションファイバ１のシンチレーション光の伝送特性の変化との相関性を求めるようにしてあるものとする。
【００３６】
上記調整装置４では、上記歪み計測装置１２より上記シンチレーションファイバ１の歪み量の計測結果が入力されると、先ず、上記図示しない記憶部に記憶してある相関テーブルや相関係数に基づいて、上記シンチレーションファイバ１の上記計測された歪み量の状態でのシンチレーション光の伝送特性を求める。
【００３７】
次いで、上記調整装置４は、上記のようにして求められた伝送特性を基に、上記シンチレーション光が各光検出器５ａ，５ｂに到達するまでに受ける減衰を推定し、その推定された減衰を受けた後のシンチレーション光が上記各光検出器５ａ，５ｂに入射することで、該各光検出器５ａ，５ｂより出力される検出信号が、対応する増幅器６ａ，６ｂで増幅された後の強度を算出する。
【００３８】
その後、上記調整装置４は、上記推定された減衰を受けた後のシンチレーション光に基づいて算出された増幅後の検出信号の強度よりもやや低い信号強度をノイズカット閾値として設定する指令を、上記各ディスクリミネータ７ａ，７ｂへ、与えるようにしてある。
【００３９】
これにより、該各ディスクリミネータ７ａ，７ｂでは、上記調整装置４からの指令に基づいてノイズカット閾値が設定されるようになる。
【００４０】
なお、上記歪み計測装置１２によるシンチレーションファイバ１の歪み量の計測結果に基づいて上記調整装置４により上記ディスクリミネータ７ａ，７ｂのノイズカット閾値の設定を行うときに、該ノイズカット閾値の設定値が低くなり過ぎる場合は、上記検出信号と、ノイズとの分離が困難になる。この場合、本発明の放射線計測装置Ｉでは、シンチレーションファイバ１の長手方向に沿う空間線量の分布を正確に計測することができなくなってしまう。そこで、上記調整装置４では、上記ディスクリミネータ７ａ，７ｂに設定するノイズカット閾値が、予め設定してある許容レベルよりも低くなってノイズとの分離が困難になると判断される場合に、アラームを発する機能を備えるようにしてある。
【００４１】
以上の構成としてある本発明の放射線計測装置Ｉは、放射線の計測を行うときに、シンチレーションファイバ１に歪みが生じている場合は、その歪み量が、歪み計測手段３によりリアルタイムに計測される。そのため、本発明の放射線計測装置Ｉでは、上記歪み量の計測結果に応じて、該シンチレーションファイバ１に生じる伝送特性の変化によるシンチレーション光の減衰を見込んだ状態で、上記各ディスクリミネータ７ａ，７ｂのノイズカット閾値が設定される。
【００４２】
したがって、本発明の放射線計測装置Ｉによれば、シンチレーションファイバ１に歪みが生じていて、各光検出器５ａ，５ｂに到達するシンチレーション光が減衰されることにより、該各光検出器５ａ，５ｂより出力される検出信号が弱くなる場合であっても、該検出信号が、ノイズに埋もれる虞を防止することができる。
【００４３】
これにより、本発明の放射線計測装置Ｉは、シンチレーションファイバ１に歪みが生じている状態でも、放射線の検出効率を高めることができる。このため、計測系２の時間−波高変換器８では、上記シンチレーションファイバ１の長手方向における放射線の入射位置を、良好に検出することができる。したがって、マルチチャンネルアナライザ１０では、シンチレーションファイバ１の長手方向に沿う放射線量の空間分布の計測結果について、統計的精度を向上させることができる。
【００４４】
更に、本発明の放射線計測装置Ｉでは、上記マルチチャンネルアナライザ１０による上記放射線量の空間分布の計測結果を得るまでに要する計測時間の短縮化を図ることが可能になる。
【００４５】
次に、図２は本発明の実施の他の形態として、図１の実施の形態の変形例を示すものである。
【００４６】
すなわち、本実施の形態の放射線計測装置は、図２に符号Ｉで示すように、図１に示したと同様の構成において、歪み計測手段３を、シンチレーションファイバ１に取り付けた各歪みゲージ１１と、歪み計測装置１２とからなる構成とすることに代えて、シンチレーションファイバ１に長手方向に沿わせて取り付けた光ファイバ式歪みセンサ１３と、該光ファイバ式歪みセンサ１３に接続した歪み計測装置１２ａとからなる構成の歪み計測手段３ａを備える構成としたものである。
【００４７】
その他の構成は図１に示したものと同様であり、同一のものには同一の符号が付してある。
【００４８】
上記歪み計測手段３ａでは、上記シンチレーションファイバ１に歪みが生じると、光ファイバ式歪みセンサ１３が同様に歪むようになる。このため、上記歪み計測装置１２ａでは、該光ファイバ式歪みセンサ１３に生じている歪み量の検出に伴って、上記シンチレーションファイバ１に生じている歪み量を検出することができる。
【００４９】
したがって、本実施の形態の放射線計測装置における調整装置４では、図１に示した実施の形態の放射線計測装置の調整装置４と同様に、上記歪み計測装置１２ａによるシンチレーションファイバ１の歪み量の計測結果に基づいて、ディスクリミネータ７ａ，７ｂのノイズカット閾値の設定を行うことができる。
【００５０】
したがって、本実施の形態の放射線計測装置によっても、図１の実施の形態と同様の効果を得ることができる。
【００５１】
ところで、シンチレーションファイバ１に歪みが存在する場合は、シンチレーション光の減衰が生じることに伴って、数え落としが生じることも考えられる。
【００５２】
この点に鑑みて、本発明の放射線計測装置Ｉは、放射線の計測を行うときに、以下のような放射線の計数値の補正を加えることができるようにした構成としてもよい。
【００５３】
すなわち、図１、図２に二点鎖線で示すように、計測系２が、記憶手段１４を備えた構成とする。
【００５４】
かかる構成の本発明の放射線計測装置Ｉは、実際の放射線の計測を開始する前に、標準線量を用いて、歪みが存在しているシンチレーションファイバ１の長手方向所要間隔の複数個所について、該各個所が放射線の入射位置となる場合を模擬した操作を行う。この際、シンチレーションファイバ１の一端部と他端部の各光検出器５ａと５ｂに入射するシンチレーション光に基づく放射線の計数値をそれぞれ計って、シンチレーションファイバ１の長手方向の放射線入射位置と、放射線の計数値の数え落としとの相関性を求めて、上記記憶手段１４に、該求めた相関性を記憶させるようにする。
【００５５】
その後、本発明の放射線計測装置Ｉは、実際の放射線の計測を開始すると、前述したと同様に、時間−波高変換器８では、シンチレーションファイバ１の長手方向における放射線の入射位置が検出されるようになる。
【００５６】
上記のように、時間−波高変換器８でシンチレーションファイバ１の長手方向における放射線の入射位置が検出されると、マルチチャンネルアナライザ１０が、その放射線の入射位置の検出結果と、上記記憶手段１４に記憶させてあるシンチレーションファイバ１の長手方向の放射線入射位置と放射線の計数値の数え落としの相関性とを基に、該計数値の数え落とし分を補填する補正を行ってから、補正後の放射線の計数値を基に、上記シンチレーションファイバ１の長手方向に対する放射線量の空間分布を求めるようにしてある。
【００５７】
このようにすれば、上記シンチレーションファイバ１に歪みが存在していても、放射線の計数値の数え落としを補正することができるため、上記マルチチャンネルアナライザ１０により、上記シンチレーションファイバ１の長手方向に対する放射線量の空間分布を、より正確に求めることができるようになる。
【００５８】
なお、本発明は、上記実施の形態にのみ限定されるものではなく、シンチレーションファイバ１の長さは自在に設定してよい。シンチレーションファイバ１の配置は、放射線の計測対象等に応じて、図示した円弧形状以外の任意の配置としてもよい。
【００５９】
図１の実施の形態では、シンチレーションファイバ１の長手方向に関する歪みゲージ１１の取付数や取付間隔は、自在に設定してよい。又、シンチレーションファイバ１の長手方向における歪みゲージ１１の取付間隔は、一定でなくてもよい。更に、シンチレーションファイバ１が部分的に直線状配置で固定されている等して、該シンチレーションファイバ１に歪みの生じる虞がない個所が存在している場合は、該個所には歪みゲージ１１を取り付けなくてもよい。
【００６０】
図２の実施の形態では、シンチレーションファイバ１の長手方向寸法等に応じて、該シンチレーションファイバ１の長手方向に、複数の光ファイバ式歪みセンサ１３を取り付ける構成としてもよい。又、シンチレーションファイバ１が部分的に直線状配置で固定されている等して、該シンチレーションファイバ１に歪みの生じる虞がない個所が存在している場合は、該個所には光ファイバ式歪みセンサ１３を取り付けなくてもよい。
【００６１】
シンチレーションファイバ１に接続する計測系２は、シンチレーションファイバ１の両端側に光検出器５ａ，５ｂを備える構成に代えて、シンチレーションファイバ１の一端側に反射手段を、他端側に光検出器を取り付けた構成としてもよい。該光検出器には、増幅器とディスクリミネータを介して、図１、図２に示したと同様の時間−波高変換器８を接続した構成とすればよい。この場合は、上記シンチレーションファイバ１への放射線の入射により発生するシンチレーション光が、該シンチレーションファイバ１の一端側に達すると、上記反射手段で反射されてから他端側へ向かうようになる。このため、上記光検出手段では、１回の放射線の入射に伴い、シンチレーション光の検出が、上記放射線の入射位置に応じた時間差で２回検出されるようになる。よって、この時間差を基に、該計測系では、時間−波高変換器８により、上記シンチレーションファイバ１の長手方向における放射線の入射位置を検出することができるため、上述の計測系２と同様の処理を行うことができる。
【００６２】
歪み計測手段３，３ａに備える歪みセンサは、シンチレーションファイバ１の歪み量を計測することができれば、歪みゲージ１１、光ファイバ式歪みセンサ１３以外の任意の歪みセンサを用いるようにしてもよい。
【００６３】
その他本発明の要旨を逸脱しない範囲内で種々変更を加え得ることは勿論である。
【符号の説明】
【００６４】
Ｉ  放射線計測装置
１  シンチレーションファイバ
２  計測系
３，３ａ  歪み計測手段
４  調整装置
５ａ，５ｂ  光検出器
６ａ，６ｂ  増幅器
７ａ，７ｂ  ディスクリミネータ
８  時間−波高変換器
１０  マルチチャンネルアナライザ
１１  歪みゲージ
１３  光ファイバ式歪みセンサ
１４  記憶手段
【図１】
2014020901.tif 000003
【図２】
2014020901.tif 000004